(57)【要約】【課題】隣地に張り出すことなく支柱を隣地境界に接近させて立設することができるテラス屋根、カーポート屋根などの屋根を提供する。【解決手段】屋根枠の後枠４を、雨樋４１と雨樋から前枠側に延びる桁接続壁４６と、桁接続壁の延長上に連続する垂木接続壁４７と、桁接続壁と垂木接続壁の境界から上側に延びる垂木当接壁４８とを一体に備えて構成し、支柱の上端部間に架設される桁３には、その上端部に後枠の桁接続壁又は垂木５にビスにより固着される固着縁３４を設け、後枠４は垂木当接壁４８を垂木５の長手方向一端面に当接した状態で垂木接続壁４７から垂木にねじ込まれるビスｂ３により垂木に接続し、桁３は固着縁３４から桁接続壁４６にねじ込まれるビスｂ２により後枠４に、又は固着縁３４から垂木５にねじ込まれるビスｂ３により垂木に固着するよにうした。【選択図】図１
2008057214.tif 000002
【特許請求の範囲】
【請求項１】
支柱の上端部間に架設される桁を介して屋根枠が支持される屋根において、
前記屋根枠の後枠は、これを雨樋と、その雨樋から前記屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、
前記桁には、その上端面から前記前枠方向に延出し、前記後枠の桁接続壁にビスにより固着される固着縁を設け、
前記後枠は、前記垂木当接壁を垂木の長手方向一端面に当接した状態で前記垂木接続壁から垂木にねじ込まれるビスにより垂木に接続し、前記桁は、前記固着縁から桁接続壁にねじ込まれるビスにより前記後枠に固着するようにしたことを特徴とする屋根。
【請求項２】
支柱の上端部間に架設される桁を介して屋根枠が支持される屋根において、
前記屋根枠の後枠は、これを雨樋と、その雨樋から前記屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、
前記桁には、その上端面から前記前枠方向に延出し、前記後枠の桁接続壁にビスにより固着される固着縁を設けるとともに、その固着縁とその桁の上面との間に、前記後枠の垂木接続壁の肉厚と等しい段差を設け、
後枠は、垂木当接壁を垂木の長手方向一端面に当接した状態で前記垂木接続壁から前記垂木にねじ込まれるビスによりその垂木に接続し、前記桁は、前記固着縁から前記後枠の桁接続壁にねじ込まれるビスによりその後枠に固着し、又は前記固着縁から前記垂木にねじ込まれるビスによりその垂木に固着するようにしたことを特徴とする屋根。
【発明の詳細な説明】
【技術分野】
【０００１】
本発明は、テラス屋根又はカーポート屋根等の屋根に関する。
【背景技術】
【０００２】
テラス屋根又はカーポート屋根（以下、代表的にテラス屋根という。）の主たる構成要素は、地面に立設される支柱と、その支柱の上端部に取り付けられる屋根枠と、その屋根枠に固定される屋根板とに大別することができる。そして、屋根枠は、通常は、前枠（敷地内方の枠）及び後枠（敷地外方の枠）と、それら前枠及び後枠の間に配置され接続される垂木（両端部に配置される妻垂木を含む。）とで構成される。また、テラス屋根に設けられる雨水排水装置は、屋根板上面の後枠側の端部から後枠に設けた雨樋に流下させ、その雨樋の排水口からこれに接続されたドレンで受け、そのドレンからエルボを介して支柱に添設した縦樋により雨水を地上に排水するように構成されている。
【０００３】
上記テラス屋根における支柱に対する屋根枠の接続構造には、次のようなものが知られている。
１）支柱の上端部にブラケット及びボルトナットにより屋根枠の垂木の一端部側を固着する構造。例えば、特許文献１。
この場合、屋根枠は支柱に対して片持ち状に支持されるが、垂木の一端部は、支柱から後方（建物から離れる方向）に突出し、従って、垂木の一端部に接続されている後枠は支柱から後方に離れているため、その後枠に設けてある雨樋、ドレンも、支柱から後方に離れた位置に設けられている。
２）支柱の上端部間に桁を架設し、その桁に屋根枠の垂木をボルトナットで接続する構造。例えば、本出願人の提案に係る特願２００５−９５２２８の明細書。
この場合、桁の上面に垂木の底面に当接する固着縁を設け、その固着縁をボルトナットにより垂木に接続するが、桁上面を垂木底面に当接する位置を変えることにより、屋根枠後端の支柱からの離間距離を任意に決めることができる。
【特許文献１】特開平７−２５９２６３号公報
【発明の開示】
【発明が解決しようとする課題】
【０００４】
狭隘な敷地にテラス屋根を設置する場合は、テラスの有効面積を可及的に大きくするため、支柱を隣地との境界に可及的に接近させて立設することが望まれる。
しかしながら、上記１）のような支柱に対する屋根枠の接続構造を採用する屋根においては、垂木の一端部側、後枠、雨樋、ドレンが支柱よりも後方に張り出している。また、縦樋も支柱の背面に取り付けられる場合が多い。従って、支柱を隣地境界に可及的に接近させて立設すると、垂木の一端部、後枠、雨樋、ドレン等が隣地に張り出してしまう。
また、上記２）のような支柱に対する屋根枠の接続構造を採用する屋根においても、垂木の端部を支柱に固着されている桁に接続したとしても、桁はあくまで垂木にボルトナットなどで固着される構造であった。そのため、後枠は桁の後方に突出するから、その後枠、その後枠に設けてある雨樋に接続されるドレン、エルボ、縦樋などが支柱よりも後方に存在することとなるため、１）と同様に、支柱を隣地境界に可及的に接近させて立設すると、隣地に張り出してしまうという問題があった。
【０００５】
さらに、テラス屋根の需要者は、敷地に余裕がある場合は、美観及び外観的な安定感を求めて、屋根枠の後端部が支柱からある程度後方に突出する形態で、支柱又は桁と垂木が接続されることを望む場合がある。
上記２）のような支柱に対する屋根枠の接続構造を採用する屋根は、１種類の屋根で、屋根枠が支柱から後方に突出しない形態の屋根と、屋根枠が支柱から後方に突出する形態の屋根を提供することが可能であるという特長を有しているが、屋根枠が支柱から後方に突出する形態にした場合は、上記のように、支柱を隣地境界に接近させる可能性に限度があるという問題があった。
【０００６】
そのため、隣地に張り出すことなく支柱を隣地境界に接近させて立設することができるテラス、カーポートなどの屋根が待望されていた。
本発明は、上記の要望に応えるためになされたものである。
【課題を解決するための手段】
【０００７】
上記の課題を解決するため、本発明は、（ａ）支柱の上端部間に架設される桁を介して屋根枠が支持される屋根において、（ｂ）前記屋根枠の後枠は、これを雨樋と、その雨樋から前記屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、（ｃ）前記桁には、その上端面から前記前枠方向に延出し、前記後枠の桁接続壁にビスにより固着される固着縁を設け、（ｄ）前記後枠は、前記垂木当接壁を垂木の長手方向一端面に当接した状態で前記垂木接続壁から垂木にねじ込まれるビスにより垂木に接続し、前記桁は、前記固着縁から前記桁接続壁にねじ込まれるビスにより前記後枠に固着するようにしたことを特徴としている。
上記構成により、桁の固着縁を後枠の桁接続壁に接続することにより桁が後枠のほぼ真下に位置するので、後枠及びその雨樋に結合されるドレンの支柱からの突出量を最小にすることができ、縦樋を支柱の支柱同士対向面に取り付けることも可能である。
【０００８】
また、本発明は、（ａ）支柱の上端部間に架設される桁を介して屋根枠が支持される屋根において、（ｂ）前記屋根枠の後枠は、これを雨樋と、その雨樋から前記屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、（ｃ’）前記桁には、その上端面から前記前枠方向に延出し、前記後枠の桁接続壁にビスにより固着される固着縁を設けるとともに、その固着縁とその桁の上面との間に前記後枠の垂木接続壁の肉厚と等しい段差を設け、（ｄ’）後枠は、垂木当接壁を垂木の長手方向一端面に当接した状態で前記垂木接続壁から前記垂木にねじ込まれるビスによりその垂木に接続し、前記桁は、前記固着縁から前記後枠の桁接続壁にねじ込まれるビスによりその後枠に固着し、又は前記固着縁から前記垂木にねじ込まれるビスによりその垂木に固着するようにしたことを特徴としている。
上記構成により、桁の固着縁を後枠の桁接続壁に接続した場合は、桁が後枠のほぼ真下に位置するので、後枠及びその雨樋に結合されるドレンの支柱からの突出量を最小にすることができ、縦樋を支柱の支柱同士対向面に取り付けることができる。また、桁の固着縁を垂木の下面に当接させ、かつ、桁の上面後端部を後枠の桁接続壁に当接させて固着縁を垂木に固着する場合は、後枠を支柱から後方に突出させた状態で高い安定性をもって、垂木の後端部と後枠に接続することができる。
【発明の効果】
【０００９】
請求項１の発明によれば、（ａ）支柱の上端部間に架設される桁を介して屋根枠が支持される屋根において、（ｂ）屋根枠の後枠を雨樋と、その雨樋から屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、（ｃ）桁には、その上端面から前記前枠方向に延出し、前記後枠の桁接続壁にビスにより固着される固着縁を設け、（ｄ）後枠は、垂木当接壁を垂木の長手方向一端面に当接した状態で前記垂木接続壁から垂木にねじ込まれるビスにより垂木に接続し、桁は、その固着縁から桁接続壁にねじ込まれるビスにより後枠に固着するようにしたので、桁の固着縁を後枠の桁接続壁に接続して後枠及びその雨樋に結合されるドレンの支柱からの突出量を最小にすることができ、縦樋を支柱の支柱同士対向面に取り付けることも可能であるから、隣地に張り出すことなく、支柱を隣地境界に近接して立設することができる屋根の提供が可能である。
【００１０】
請求項２の発明によれば、（ａ）支柱の上端部間に架設される桁を介して屋根枠が支持される屋根において、（ｂ）屋根枠の後枠を雨樋と、その雨樋から前記屋根枠の前枠側方向に延びる桁接続壁と、その桁接続壁の延長上に連続する垂木接続壁と、その桁接続壁と垂木接続壁の境界から上側に延びる垂木当接壁とを一体に備えて構成し、（ｃ’）桁には、その上端面から前枠方向に延出し、後枠の桁接続壁にビスにより固着される固着縁を設けるとともに、その固着縁とその桁の上面との間に、後枠の垂木接続壁の肉厚と等しい段差を設け、（ｄ’）後枠は、垂木当接壁を垂木の長手方向一端面に当接した状態で垂木接続壁から前記垂木にねじ込まれるビスによりその垂木に接続し、前記桁は、前記固着縁から後枠の桁接続壁にねじ込まれるビスによりその後枠に固着し、又は前記固着縁から前記垂木にねじ込まれるビスによりその垂木に固着するようにしたので、桁の固着縁を後枠の桁接続壁に接続した場合は、隣地に張り出すことなく、支柱を隣地境界に近接して立設することができる屋根の提供が可能である。また、桁の固着縁を垂木の下面に当接させ、かつ、桁の上面後端部を後枠の桁接続壁に当接させて固着縁を垂木に固着した場合は、後枠を支柱から後方に突出させた状態で高い安定性をもって、垂木の後端部と後枠に接続することができる。すなわち、１種類の屋根で、屋根枠が支柱から後方に突出しない形態の屋根と、屋根枠が支柱から後方に突出する形態とのいずれにも可能な屋根を提供することができる。
【発明を実施するための最良の形態】
【００１１】
次に、本発明の実施の形態について、図面を用いながら説明する。
図面は、本発明の一実施の形態を示すものであり、図１は桁と後枠と垂木との一つの接続態様を示す一部省略縦断面図、図２は図１の一部の拡大図、図３は支柱の上端部に取り付けられる連結具と桁との接続構造を示す要部の分解斜視図、図４は桁と後枠と垂木との他の接続態様を示す一部省略縦断面図、図５は図４の一部の拡大図である。
【００１２】
概略的な構成を説明すると、図１において、１は地面ＧＬに平行に立設された複数本の支柱であり、それらの支柱の上端部に連結具２がビスｂ１により固着され、各支柱の連結具２に桁３がボルトナットｂｎにより固着されて架設されている。そして、その桁３の上側に屋根枠ＲＦが後述されるようにして片持ち状に支持されている。
【００１３】
さらに詳細に説明すると、図３に示すように、連結具２は、座板２１と、その座板から下方に延びて、支柱１の上端部からその中空部に挿入されて固定される固定部２２と、座板２１の上面からほぼ一つの円の円弧面に沿って両側上方に突出する一対の矩形曲面板２３ａ，２３ｂからなる雌嵌合部２３とを一体に有している。固定部２２には、支柱１の上端部側面に貫通されるビスｂ１をねじ込むためのねじ孔２４が設けられている。また、雌嵌合部２３の凹曲面の曲率半径は、後述される桁３の雄嵌合部３２の凸曲面の曲率半径と等しくされている。さらに、建物側の矩形曲面板２３ａには、縦方向に長軸を有する長孔２５が形成されている。
【００１４】
桁３は、長尺筒状に形成され、平坦な上面壁３１と、その上面壁の幅方向両端部間を上面壁の下側において連続し、断面形状がほぼ円弧をなす雄嵌合部３２と、上面壁３１の幅方向一端部から上方に起立する凸壁３３と、上面壁３１の幅方向他端部から上方に起立した後、凸壁３３と反対方向に上面壁３１と平行に延出する固着縁３４とを有している。好ましい実施の態様においては、その固着縁３４の中間部と雄嵌合部３２の固着縁３４に近い円弧面との間を連続する連結壁３５が設けられて、固着縁を補強する中空部３６が形成されている。そして、雄嵌合部３２には、その円弧の長さの中間位置よりも中空部３６に近い位置において雄嵌合部の外面に開口し、桁３の長手方向に連続するあり溝３７が形成されている。
【００１５】
あり溝３７には、締結手段を構成するボルトナットｂｎのうち、ボルトｂの頭部を長手方向端部から挿入し、所望の位置まで移動することができる。
【００１６】
桁３の固着縁３４の上面と凸壁３３の上端部との間には、後述される後枠４の垂木接続壁４７の肉厚と等しい段差が設けられている。固着縁３４には、その長手方向に間隔をおいた複数の所定の位置においてビス貫通孔（図示せず）が形成されている。また、桁３の長手方向両端部には小口キャップ３８が嵌着されている。
【００１７】
屋根枠ＲＦは、桁３に近い位置に配置される後枠４と、桁から遠い位置に配置される図示されていない前枠と、それらの後枠と前枠との間に平行に配置され、接続される垂木５とから構成されている。
【００１８】
図２に詳細に示されているように、後枠４は、背面側（建物から遠い側）に雨樋４１を一体に有し、その雨樋を形成する正面側の側壁４２の上端部に例えばアクリルパネルなどの屋根板６の端縁をその上側から押さえる屋根板押さえ部４３が形成されている。また、雨樋の正面側には補強のための中空部４４が形成され、その中空部の底壁４５は正面方向に一つの平面に沿って延長され、その延長部分のうち、中空部４４に近い部分により桁接続壁４６が、中空部４４から遠い部分により垂木接続壁４７が形成されている。そして、桁接続壁４６と垂木接続壁４７の境界から上方に、通常はこれらの壁に対して直角に起立する垂木当接壁４８が形成されている。垂木当接壁４８の上端部は中空部４４の上面壁４９の延長部分に接続されて垂木当接壁４８の強度が補強されているとともに、垂木当接壁の上端部に屋根板６を受けるタイト材ｔが装着されている。屋根板押さえ部４３により押さえられる屋根板６は、タイト材ｔに密着して保持される。
【００１９】
後枠４の雨樋４１には、後述されるように支柱１と桁３と屋根枠ＲＦとの接続を終了し、支柱１を所定位置に立設した後に、次のように構成されたそれ自体は周知の排水装置７が接続されている。すなわち、雨樋４１の底部に、後枠の長手方向端部付近において排水口（図示せず）が設けてあり、その排水口に、取付具７１を介してドレン７２が接続され、そのドレン７２にはエルボ７３を介して縦樋７４の上端部が接続され、その縦樋は支柱１の支柱同士対向面に固定具７５により固定され、地面ＧＬまで垂下される。
【００２０】
図１において、５は屋根枠ＲＦの幅方向両端部に位置する垂木、すなわち、妻垂木であり、上端部付近に屋根板６の端縁を載せる屋根板載置部５１を有し、妻垂木同士の互いに対向する面の底部に互いに対向して突出する固定部５２を有する。そして、妻垂木の長手方向端部から後枠４の中空部４４の幅に相当する距離だけ垂木の長手方向中央方向に寄った位置の固定部５２の上側において、Ｌ形金属板で作られた連結金具８の一辺がビスｂ４により固着されている。
【００２１】
上記構成により、屋根枠ＲＦにおいては、妻垂木の端部付近の内側面に固着してある連結金具８の他辺を後枠４の中空部４４の中間壁４１０に当接させ、その垂木の固定部５２を後枠４の垂木接続壁４７に載せ、かつ、その垂木５の固定部５２及び連結金具８の他辺を後枠４の中空部４４の中間壁４１０に当接させた状態で垂木接続壁４７の下側からビスｂ２を垂木５の固定部５２にねじ込み、さらに、連結金具８の他辺からビスｂ５を中間壁４１０にねじ込んで、垂木５と後枠４とを接続する。なお、後枠４の垂木当接壁４８は、スクリュードライバーでビスｂ５をねじ込むことを可能にするため、後枠の長手方向端部において適宜切除されている。
【００２２】
図２において、４１１は後枠４の雨樋４１の長手方向端面を密閉する雨樋キャップであり、屋根板６を取り付ける前に、後枠４の中空部４４の上面壁４９にビスｂ６により固着されている。
【００２３】
妻垂木を除く中間の垂木は、その後枠側端部を後枠の垂木接続壁４７に載せ、その後枠側端面を後枠の垂木当接壁４８に当接させた状態で、垂木接続壁４７からビスｂ３を固定部５２にねじ込み、さらに、垂木５の端部に予め固着されている連結金具８と同様の連結金具の他辺をビス（図示せず）により垂木当接壁４８に固着することにより、全ての垂木と後枠とが接続されている。各垂木の反対側の端部には、図示されていない前枠が既知の構造と方法により連結されている。
【００２４】
上記のように構成された屋根枠ＲＦに対して、桁３は次のようにして接続される。すなわち、図１及び図２に示すように、後枠４の支柱１後方への突出量を少ない形態の屋根とする場合は、桁３を後枠４の中空部４４の真下に接近させ、固着縁３４を後枠４の桁接続壁４６に当接し、その固着縁３４からビスｂ２を桁接続壁４６にねじ込む。この場合、桁接続壁４６の上側は垂木当接壁４８と中空部４４の中間壁４１０との間に形成された中空部であり、妨害物がないので、ビスｂ２のねじ込みが容易にできる。
【００２５】
屋根枠ＲＦの後枠４に接続された桁３は、まだ大地に立設されていない支柱１の上端部に、連結具２を介して次のようにして取り付けられる。すなわち、連結具２の雌嵌合部２３に桁３の雄嵌合部３２を桁３のあり溝３７に装着しておいたボルトｂの軸を連結具２の矩形曲面板２３ａの長孔２５に貫通し、その矩形曲面板から突出したボルトｂの軸にナットｎを軽く締め付ける。続いて、その状態で支柱を垂直状態にする。その場合、雄嵌合部３２と雌嵌合部２３が曲面対偶して円弧中心回りに回動自在であるので、支柱１を容易に垂直状態にすることができる。そして、ナットｎを完全に締め付けることにより、後枠４と桁３と支柱１が接続され、後枠４は支柱１の背面から僅かに張り出すだけである。
【００２６】
従って、後枠４の雨樋４１の底部に結合されるドレン７２の支柱背面からの張り出し量が少なく、その張り出し量を一例として５ｃｍ以内に抑えることができる。そのため、図１に示されているように、隣地との境界線に厚み中心を合致させた状態で設置された塀９に支柱１を近接して立設した場合でも、後枠４、ドレン７２、縦樋７４などの排水装置を隣地に張り出すことなく設置することが可能である。よって、狭隘な土地にテラス屋根やカーポート屋根を設置する場合の有効面積を従来の屋根を用いる場合よりも拡張することができる。
【００２７】
本発明の好ましい実施の形態として、上記のように、後枠４の桁接続壁４６と垂木接続壁４７が後枠４の底面と同じ平面上に存在し、桁３は、その上端面に形成した固着縁３４を桁接続壁４６に固着するように構成されていることに加えて、桁３の固着縁３４と桁の上端面後部との間に垂木接続壁４７の肉厚と等しい段差が設けてある。そのため、図３，４に示すように、桁３の固着縁３４を垂木５の底面に当接させ、桁３の上端面後部の凸壁３３を後枠４の底面又は桁接続壁４６あるいは垂木接続壁４７に当接させて、その固着縁からビスｂ２を垂木５にねじ込むことにより、桁３を安定した状態で垂木５に接続することができる。これにより、支柱１を後枠４から離すこともできる。
【００２８】
従って、敷地に余裕のある場合、あるいは、外観に対する希望に応じて、同一の屋根を後枠やドレンなどが支柱から後方に突出しない形態の屋根と、突出する形態の屋根とのいずれにもすることができる。従って、製造コスト低減及び部材管理軽減の効果が得られる。
【図面の簡単な説明】
【００２９】
【図１】桁と後枠と垂木との一つの接続態様を示す一部省略縦断面図。
【図２】図１の一部の拡大図。
【図３】支柱の上端部に取り付けられる連結具と桁との接続構造を示す要部の分解斜視図。
【図４】桁と後枠と垂木との他の接続態様を示す一部省略縦断面図。
【図５】図４の一部の拡大図。
【符号の説明】
【００３０】
１      支柱
２      連結具
３      桁  
３４    固着縁
４      後枠
４１    雨樋
４４    中空部
４６    桁接続壁
４７    垂木接続壁
４８    垂木当接壁
５      垂木
５２    固定部
７      排水装置
７１    ドレン
７３    エルボ
７４    縦樋
【図１】
2008057214.tif 000003
【図２】
2008057214.tif 000004
【図３】
2008057214.tif 000005
【図４】
2008057214.tif 000006
【図５】
2008057214.tif 000007